(57)【要約】【課題】  ＢＣＡの２値化を行う時点でピークボトムエンベロープ検波を行いディスク種別によって２種類のボトムエンベロープ検波とスライスレベル切り替えするディスク装置及びこの装置を用いたＢＣＡ再生方法を提供する。【解決手段】  ディスクからＢＣＡ信号を読み出すＢＣＡ再生方法において、ＢＣＡ信号のピーク値を検波し（ピーク検波値）、ＢＣＡ信号のボトム値を速い追従帯域で検波し（ボトム検波値１）、ＢＣＡ信号のボトム値を遅い追従帯域で検波し（ボトム検波値２）、このピーク検波値と、ボトム検波値１と、ボトム検波値２とからＢＣＡ信号が記録されていない無信号部分であるかまたは記録されている有信号部分であるかの信号を検出し、この信号と、少なくとも前記ピーク検波値、ボトム検波値１及びボトム検波値２の中からＢＣＡ信号を２値化するためのスライスレベルを決定し２値化することを特徴とする。【選択図】      図３
2008146721.tif 000002
【特許請求の範囲】
【請求項１】
ＢＣＡが形成されたディスクからＢＣＡ信号を読み出すディスク装置において、
前記ＢＣＡ信号のピーク値を検出するピークエンベロープ検波回路と、
前記ＢＣＡ信号のボトム値を検波する追従帯域の速い第１のボトムエンベロープ検波回路と、
前記第１のボトムエンベロープ検波回路より追従帯域の遅い第２のボトムエンベロープ検波回路と、
前記ピークエンベロープ検波回路によって検波されたピーク検波値と、前記第１のボトムエンベロープ検波回路によって検波された第１のボトム検波値と、前記第２のボトムエンベロープ検波回路によって検波された第２のボトム検波値とから前記ＢＣＡ信号が記録されていない無信号部分であるかまたは記録されている有信号部分であるかの信号を検出する検出回路と、
前記検出回路によって検出された前記信号と、少なくとも前記ピーク検波値、前記第１のボトム検波値及び前記第２のボトム検波値の中から前記ＢＣＡ信号を２値化するためのスライスレベルを決定するスライスレベル検出回路と、
前記スライスレベル検出回路によって決定された前記スライスレベルによって前記ＢＣＡ信号を２値化する２値化回路とを具備することを特徴とする光ディスク装置。
【請求項２】
前記第１のボトムエンベロープ検波回路は、検波の際に前記ＢＣＡ信号のボトム側を追従し、前記ＢＣＡ信号がない前記無信号部分では、ハイレベル側に追従することを特徴とする請求項１記載の光ディスク装置。
【請求項３】
前記第２のボトムエンベロープ検出回路は、前記第１のボトムエンベロープ検波回路よりも追従帯域が遅く、前記ＢＣＡ信号がない前記無信号部分でもハイレベル側に追従しないことを特徴とする請求項１記載の光ディスク装置。
【請求項４】
前記検出回路は、前記ピーク検波値と前記第１のボトム検波値の差、及び前記第１のボトム検波値と前記第２のボトム検波値の差、または前記２つの差の比率、または前記ピーク検波値と前記第１のボトム検波値の差、及び前記ピーク検波値と前記第２のボトム検波値の差の比率から前記無信号部分を検出することを特徴とする請求項１記載の光ディスク装置。
【請求項５】
前記第１のボトム検波値と前記第２のボトム検波値の差、または前記差と前記ピーク検波値と前記第１のボトム検波値の差との比率からディフェクトを検出するディフェクト検出回路をさらに具備することを特徴とする請求項１記載の光ディスク装置。
【請求項６】
前記ディスクからの前記ＢＣＡ信号に基づいてディスク種別を判定するディスク種別判定回路を具備し、
前記ディスク種別判定回路からの判定結果を元に、前記スライスレベル検出回路はスライスレベルを切り替えることを特徴とする請求項１記載の光ディスク装置。
【請求項７】
前記検出回路からの無信号検出信号を用いて、前記スライスレベル検出回路は前記ディスク一回転ごとに前記スライスレベルを段階的に変更することを特徴とする請求項１記載の光ディスク装置。
【請求項８】
ＢＣＡが形成されたディスクからＢＣＡ信号を読み出すＢＣＡ再生方法において、
前記ＢＣＡ信号のピーク値を検波し、
前記ＢＣＡ信号のボトム値を速い追従帯域で検波し、
前記ＢＣＡ信号のボトム値を遅い追従帯域で検波し、
前記検波されたピーク検波値と、前記速い追従帯域で検波された第１のボトム検波値と、前記遅い追従帯域で検波された第２のボトム検波値とから前記ＢＣＡ信号が記録されていない無信号部分であるかまたは記録されている有信号部分であるかの信号を検出し、
前記信号と、少なくとも前記ピーク検波値、前記第１のボトム検波値及び前記第２のボトム検波値の中から前記ＢＣＡ信号を２値化するためのスライスレベルを決定し、
前記決定されたスライスレベルによって前記ＢＣＡ信号を２値化することを特徴とするＢＣＡ再生方法。
【請求項９】
前記第１のボトム検波値は、前記ＢＣＡ信号のボトム側が追従され、前記ＢＣＡ信号がない前記無信号部分では、ハイレベル側が追従されることを特徴とする請求項８記載のＢＣＡ再生方法。
【請求項１０】
前記第２のボトム検波値は、前記第１のボトム検波値よりも追従帯域が遅く、前記ＢＣＡ信号がない前記無信号部分でもハイレベル側に追従されないことを特徴とする請求項８記載のＢＣＡ再生方法。
【請求項１１】
前記ピーク検波値と前記第１のボトム検波値の差、及び前記第１のボトム検波値と前記第２のボトム検波値の差、または前記２つの差の比率、または前記ピーク検波値と前記第１のボトム検波値の差、及び前記ピーク検波値と前記第２のボトム検波値の差の比率から前記無信号部分を検出することを特徴とする請求項８記載のＢＣＡ再生方法。
【請求項１２】
前記第１のボトム検波値と前記第２のボトム検波値の差、または前記差と前記ピーク検波値と前記第１のボトム検波値の差との比率からディフェクトを検出することを特徴とする請求項８記載のＢＣＡ再生方法。
【請求項１３】
前記ディスクからの前記ＢＣＡ信号に基づいてディスク種別を判定し、
前記判定結果を元に、前記スライスレベルを切り替えることを特徴とする請求項８記載のＢＣＡ再生方法。
【請求項１４】
前記無信号検出信号を用いて、前記ディスク一回転ごとに前記スライスレベルを段階的に変更することを特徴とする請求項８記載のＢＣＡ再生方法。
【発明の詳細な説明】
【技術分野】
【０００１】
本発明は、ＤＶＤ（Digital Versatile Disk）の再生、特に、バーストカッティング領域（ＢＣＡ:Burst Cutting Area）の信号再生に関するものである。
【背景技術】
【０００２】
ＤＶＤ等の光ディスクには、バーコード状のパターンが記録されるＢＣＡと呼ばれる領域が設けられている。このＢＣＡ領域は、ＤＶＤ規格で規定されているデータ記録領域の１つである。ＢＣＡ領域では、２枚の基板を貼り合わせたＤＶＤディスクの内周側に形成されているアルミ等の反射膜を半径方向に細長く除去したストライプをＹＡＧレーザ等により形成し、最内周の円周に沿って配列することによりバーコード状の信号を形成することができる。したがって、光ディスクのトラック上にピットにより記録された信号とは異なる種類の情報を、バーコード状の信号によりＢＣＡ領域に記録することが可能であり、ディスクのシリアル番号などの情報を記録することができる。
【０００３】
そして、このＢＣＡ領域から正しく信号（ＢＣＡ信号）を読み取る技術が提案されてきている（特許文献１参照）。
【特許文献１】特開平１１−３２８８５７公報  （図１）
【発明の開示】
【発明が解決しようとする課題】
【０００４】
上記特許文献１によれば、固定スライスでＢＣＡ信号を２値化した後にカウンタを用いて信号検出を行っている。これでは、指紋などのディフェクトや、トラッククロス信号などによってＤＣレベルが大きく変化した場合スライスしきれない。
【０００５】
またＢＣＡマーク中にくさび型の立ち上がりノイズがのるディスクもあり、そこにスライスレベルがかかった場合、カウンタ処理のみではノイズとして処理される可能性があり、ＢＣＡを正確に検出できないといった問題がある。
【０００６】
そこで、本発明の目的は、上記の問題を解決するために成されたものであり、ＢＣＡの２値化を行う時点でピークボトムエンベロープ検波を行いディスク種別によって２種類のボトムエンベロープ検波とスライスレベル切り替えを用いることによって、ノイズを除去して波形整形された２値化信号を出力するディスク装置及びこの装置を用いたＢＣＡ再生方法を提供する。
【課題を解決するための手段】
【０００７】
上記した課題を解決するために、この発明は、ＢＣＡが形成されたディスクからＢＣＡ信号を読み出すディスク装置において、前記ＢＣＡ信号のピーク値を検出するピークエンベロープ検波回路と、前記ＢＣＡ信号のボトム値を検波する追従帯域の速い第１のボトムエンベロープ検波回路と、前記第１のボトムエンベロープ検波回路より追従帯域の遅い第２のボトムエンベロープ検波回路と、前記ピークエンベロープ検波回路によって検波されたピーク検波値と、前記第１のボトムエンベロープ検波回路によって検波された第１のボトム検波値と、前記第２のボトムエンベロープ検波回路によって検波された第２のボトム検波値とから前記ＢＣＡ信号が記録されていない無信号部分であるかまたは記録されている有信号部分であるかの信号を検出する検出回路と、前記検出回路によって検出された前記信号と、少なくとも前記ピーク検波値、前記第１のボトム検波値及び前記第２のボトム検波値の中から前記ＢＣＡ信号を２値化するためのスライスレベルを決定するスライスレベル検出回路と、前記スライスレベル検出回路によって決定された前記スライスレベルによって前記ＢＣＡ信号を２値化する２値化回路とを具備することを特徴とする。
【発明の効果】
【０００８】
この発明によれば、ディフェクトなどによってＤＣ変動が加わっても対応ができ、またディスク種別によってスライスレベルの変更を行うことで、各ディスク特有のノイズにも対応可能である。
【発明を実施するための最良の形態】
【０００９】
以下、この発明の実施例について、図面を参照しながら詳細に説明する。
光ディスクにはＣＤ、ＤＶＤ、ＢＤ（Blu-ray）、ＨＤ  ＤＶＤ（High Definition DVD）などの種類に加えて、ＲＯＭ（Read Only Memory）、Ｒ（Recordable）、ＲＷ（Rewritable）など様々なディスクが存在する。そこで、ディスクドライブがそれぞれのディスクを区別するための情報と、またそれぞれのディスクに固有なコピープロテクション情報が、ＢＣＡ領域に書き込まれている。
【００１０】
図１は、ＢＣＡ領域のディスク上の位置を示した図である。図２（ａ）は変調データが重畳されたＢＣＡの波形図、（ｂ）はミラー面上に書かれたＢＣＡの波形図、（ｃ）は変調データが重畳されたＢＣＡの波形の拡大図、（ｄ）はミラー面上に書かれたＢＣＡの波形の拡大図である。
【００１１】
ＢＣＡ領域１１は各溝１３を跨るようにディスクの半径方向に形成され、このＢＣＡ領域１１の外側にはシステムリードイン領域１５、さらに外側にはデータ領域１７が形成される。またＤＶＤ−ＲＯＭ、ＤＶＤ−ＲＡＭは変調データ(ユーザデータ)が書かれている上からＢＣＡ領域１１を書き込んでいるため、ＢＣＡ領域１１の書き込まれていない部分でも高周波成分の信号が見られる（図２（ａ）、（ｃ））。
【００１２】
一方、ＤＶＤ−Ｒ、ＤＶＤ−ＲＷ、ＨＤ  ＤＶＤはミラー面にＢＣＡ領域１１を書き込んであるため、ＢＣＡ領域１１が書き込まれていない部分はほぼハイレベルに張り付いた状態である（図２（ｂ）、（ｄ））。
【００１３】
図３は本発明の実施形態に係る光ディスク装置のブロック構造図である。まず、光ディスクから光ピックアップ２１により信号が読み取られ、その際に光ピックアップは読み取った信号をサーボ制御回路３１に送る。そして、サーボ制御回路３１はフォーカス制御信号とスピンドル制御信号をフォーカス駆動制御回路３３とスピンドル駆動制御回路３５へ送り、フォーカス制御信号によってフォーカス調整され、またスピンドル駆動制御回路３５によってディスク回転数が調整（スピンドルモータ２３の調整）される。
【００１４】
また、プリアンプ２５は光ピックアップ２１によりＢＣＡ信号を受け取り、この受け取られたＢＣＡ信号はゲイン調整される。そして、このＢＣＡ信号はＡＤＣ２７によってＡ／Ｄ変換され、その後ローパスフィルタ（ＬＰＦ２９）によって高周波成分がカットされる。ＢＣＡ波形信号はメインデータ(ユーザデータ)に比べて、周波数成分は低い。そのためＢＣＡと関係の無い高周波成分は除去される。また、ＡＤＣ後のＢＣＡ信号はディスク種別判別回路４９に送られ、ディスク種別判定回路４９はこのＢＣＡ信号に基づいてディスク種別判定信号を出力する。
【００１５】
ＬＰＦ２９によって高周波成分が除去されたＢＣＡ信号は、ピークエンベロープ検波を行う回路（ピークエンベロープ検波回路３７）と、ボトムエンベロープ検波を行う回路(ボトムエンベロープ検波１回路３９)と、ボトムエンベロープ検波１回路３９よりも追従帯域が遅い検波回路(ボトムエンベロープ検波２回路４１)に入力される。
【００１６】
ボトムエンベロープ検波１回路３９はＢＣＡ波形信号の信号部分と無信号部分に追従する追従帯域であり（図４（ａ）参照）、ボトムエンベロープ検波２回路４１はＢＣＡ波形信号全体のボトムレベルを保持する追従帯域である（図４（ｂ）参照）。また無信号検出回路４３は上記３つのエンベロープ検出結果を用いて無信号部分を検出する。またスライスレベル検出回路４５は上記３つのエンベロープ検波結果と無信号検出信号とディスク種別判定信号を用いてスライスレベルを決定する。その後、遅延回路５３によって遅延させたＢＣＡ波形信号を、ＢＣＡ２値化回路５５はスライスレベル検出回路４５で決定したスライスレベルで２値化して、２値化信号を後段のＢＣＡデコーダ５７へ送る。途中、無信号検出を行うのは、無信号部分でノイズをＢＣＡ信号として誤検出しないためである。特にＤＶＤ−ＲＯＭ、ＤＶＤ−ＲＡＭではＢＣＡ無信号部分に変調データ(ユーザデータ)が重畳されており、誤検出しやすい。
【００１７】
またディフェクト検出回路４７は、３種の検波結果、すなわちピーク値、ボトム値１及びボトム値２を用いて、ディフェクトを検出してＭＰＵ５１へ送る。ＭＰＵ５１ではディフェクト検出回路４７からのディフェクト検出信号によって前段プリアンプ２５の引き込み帯域を変更して、ＤＣレベルの変動を抑制させる。
【００１８】
次に無信号部検出方法について図５及び図６（ａ）、（ｂ）を用いて説明する。図５は無信号部を検出する処理のフローチャートである。図６（ａ）はピーク値とボトム値による振幅判定の様子を示す図であり、（ｂ）はボトム値１とボトム値２によるボトムアップ判定の様子を示す図である。
【００１９】
まずＢＣＡ波形信号から、ピークエンベロープ検波値（以下、ピーク検波値と称す）・ボトムエンベロープ検波値１（以下、ボトム検波値１と称す）・ボトムエンベロープ検波値２（以下、ボトム検波値２と称す）それぞれのエンベロープ検波を行う（ＳＴ５０１）。次に無信号部検出回路４３はピーク検波値からボトム検波値１を引いて、その値をＢＣＡ波形信号の振幅値をＮとする（ＳＴ５０２）。無信号部検出回路４３はこの振幅値Ｎに対してある定めた値より大きいか小さいかを判定する（ＳＴ５０４）。ステップＳＴ５０４で定めた値より大きいと判定した場合、振幅が大きく信号部であると判断する。またステップＳＴ５０４で定めた値より小さいと判定した場合、振幅が小さく無信号部であると判断する。図６（ａ）には振幅による無信号部判定の様子が示されている。
【００２０】
ステップＳＴ５０３に戻って、無信号部検出回路４３はボトム検波値１からボトム検波値２を引いて、その値をＢＣＡ全体のボトムレベルに対して現在のボトムレベルがどの程度変化したかの変化量をＭとする（ＳＴ５０３）。無信号部検出回路４３はこのボトム変化量Ｍに対してある定めた値よりも大きいか小さいかを判定する（ＳＴ５０５）。ステップＳＴ５０５で定めた値より大きいと判定した場合、ボトムの変化量が大きい、すなわち無信号部分で振幅が減少したとみなされて、無信号部であると判断される。ステップＳＴ５０５で定めた値より小さいと判定した場合、ボトムレベルに大きな変動が無い、すなわち振幅に変動がないとみなされて、信号部であると判断する。図６（ｂ）にはボトム変動量による無信号部判定の様子が示されている。
【００２１】
次に、ディフェクト検出方法について図６（ｃ）、（ｄ）及び図９を用いて説明する。図６（ｃ）はピーク値とボトム値による振幅判定の様子を示した図であり、（ｄ）はボトム値１とボトム値２によるボトムアップ判定の様子を示した図である。図９は、ディフェクト検出のためのフローチャートである。
【００２２】
指紋付着などのディフェクトによって反射光が減少した場合、図６（ｃ）、（ｄ）のように振幅が減少する。このような波形で前記振幅値Ｎでは、振幅の減少によって無信号部分ではないのに、無信号部分と判断されて検出漏れを起こす危険性がある。一方、ボトム変化量Ｍは、ディフェクトでもボトムレベルの変動は無く無信号部と判定されない。そこで、ディフェクト検出回路４７はピーク検波値とボトム検波値１から振幅値Ｎを算出し（ＳＴ９０１）、算出された振幅値Ｎが予め定められた定数ａ以下であるか否か判断する（ＳＴ９０２）。振幅値Ｎが定数ａ以下であると判断した場合（ＳＴ９０２のＹ）、ディフェクト検出回路４７はボトム検波値１とボトム検波値２とからボトム変化量Ｍを算出する（ＳＴ９０３）。そして、算出された変化量Ｍが予め定められた定数ｂ以下であるか否か判断する（ＳＴ９０４）。変化量Ｍが定数ｂ以下であると判断した場合（ＳＴ９０４のＹ）、ディフェクト検出回路４７はディフェクトであるとするディフェクト検出信号を出力する（ＳＴ９０５）。なお、ステップＳＴ９０２及びＳＴ９０４のＮｏの場合、本フローは終了となる。
【００２３】
すなわち、ディフェクト検出回路４７は振幅値Ｎがある定数ａ以下かつ変化量Ｍがある定数ｂ以下である場合、ディフェクトであると判定する。よって、ディフェクトによる検出漏れ（無信号部分との誤検出）を防ぐことができる。
【００２４】
また、ディフェクト検出回路４７は検出されたディフェクト信号をＭＰＵ５１に送ることで、ＭＰＵ５１は前段のプリアンプ２５のフィルタ係数を変更して、引き込み帯域を変更させる。変更させることによってＤＣレベルの変動を抑制させることができる。
【００２５】
次にスライスレベルの決定方法について図７を用いて説明する。図７はスライスレベル決定処理のフローチャートである。
まず、ディスク種別判定回路４９はＡＤＣ２７からの信号を受け取ってディスクの種別を判定する（ＳＴ７０１）。ディスク種別判定回路４９は判定した結果をスライスレベル検出回路４５へ送る。例えば、ディスク種別判定回路４９がＨＤ  ＤＶＤメディアであると判定した場合には（ＳＴ７０２のＹ）、スライスレベル検出回路４５にＨＤ  ＤＶＤメディアであることを通知し、スライスレベル検出回路４５は現在生成しているところが無信号部分であるかどうかを判定する（ＳＴ７０３）。ここでの判定は、前に述べた無信号判定方法で求められた結果を用いる。
【００２６】
もし、スライスレベル検出回路４５が無信号部分であると判定した場合（ＳＴ７０３のＹ）、ピーク検波値とボトム検波値２の比率５０％のレベルをスライスレベルとして決定する。ＢＣＡ２値化回路５５はスライスレベル検出回路４５で決定されたスライスレベルに基づいてＢＣＡ信号を２値化する（ＳＴ７０５）。すなわち、ＢＣＡ全体の振幅中心をスライスレベルとしている。これは、無信号部分においては、ノイズなどによって誤検出を避けるためスライスレベルを下げている。
【００２７】
次にスライスレベル検出回路４５が無信号部分でないと判定した場合（ＳＴ７０３のＮ）、ピーク検波値とボトム検波値１の比率８０％（ピーク側寄り）のレベルをスライスレベルとして決定する。ＢＣＡ２値化回路５５はスライスレベル検出回路４５で決定されたスライスレベルに基づいてＢＣＡ信号を２値化する（ＳＴ７０６）。すなわち、瞬時的なＢＣＡ振幅のピーク側付近をスライスレベルとしている。ピーク側寄りにスライスレベルを設定しているのは、規格上、振幅比が平均の８０％減衰する可能性があるからである。また、ＨＤ  ＤＶＤディスクの場合は、変調データ（ノイズ）が重畳されていないためフィルタで広域ノイズを除去すれば誤検出することはない。
【００２８】
ステップＳＴ７０２の処理に戻って、ディスク種別判定回路４９がＨＤ  ＤＶＤディスクでないと判定した場合には（ＳＴ７０２のＮ）、スライスレベル検出回路４５にＤＶＤメディアであることを通知し、スライスレベル検出回路４５は現在生成しているところが無信号部分であるかどうかを判定する（ＳＴ７０４）。ここでの判定も前に述べたのと同様に、無信号判定方法で求めた結果を用いる。
【００２９】
もし、スライスレベル検出回路４５が無信号部分であると判定した場合（ＳＴ７０４のＹ）、ピーク検波値とボトム検波値２の比率５０％のレベルをスライスレベルとして決定する。ＢＣＡ２値化回路５５はスライスレベル検出回路４５で決定されたスライスレベルに基づいてＢＣＡ信号を２値化する（ＳＴ７０７）。すなわち、ＢＣＡ全体の振幅中心をスライスレベルとしている。これは、上記ＨＤ  ＤＶＤメディアの場合と同様に、無信号部分においてはノイズなどによって誤検出を避けるためスライスレベルを下げている。
【００３０】
次にスライスレベル検出回路４５が無信号部分でないと判定した場合（ＳＴ７０４のＮ）、ピーク検波値とボトム検波値１の比率５０％のレベルをスライスレベルとして決定する。ＢＣＡ２値化回路５５はスライスレベル検出回路４５で決定されたスライスレベルに基づいてＢＣＡ信号を２値化する（ＳＴ７０８）。すなわち、瞬時的なＢＣＡ振幅の中心をスライスレベルとしている。これは、規格上、振幅比が平均の５０％減衰する可能性があることと、ピーク側をスライスすると重畳した変調データによって誤検出してしまうためである。以上、４種類のパターンによって決められたスライスレベルで２値化を行って終了となる（ＳＴ７０９）。
【００３１】
上記スライスレベル判定方法によってスライスレベルが変化する一例を図８に示す。図８はＨＤ  ＤＶＤメディアで信号部分−無信号部分−信号部分と連続した時の、ＢＣＡ波形信号、スライスレベル（点線）、無信号検出信号（矩形波）を示している。無信号検出信号は、０（ローレベル）で信号部分、１（ハイレベル）で無信号部分を示している。
【００３２】
信号部分では、ピーク側をスライスレベルとしており（ピーク検波値とボトム検波値１の８０％）、無信号部分ではＢＣＡ波形全体の振幅中心をスライスしている（ピーク検波値とボトム検波値２の５０％）ことがわかる。
【００３３】
以上説明したように、本発明では２種類のボトムエンベロープ検出結果を用いることで、ＢＣＡ無信号部分での誤検出を回避することができ、指紋等による振幅減衰と無信号部分の区別ができ、さらには各ディスク（ＨＤ  ＤＶＤ、ＤＶＤなど）特有のノイズに対応できる。また、ＢＣＡの２値化を行う段階で本発明のようにノイズの少ない検出を行うことで、後段のデコード処理での誤処理回避ができる。
【００３４】
次に、無信号部判定についての変形例を図５を用いて説明する。
図５では振幅値Ｎとボトム変動値Ｍ（ＳＴ５０４、ＳＴ５０５）を定数と比較して無信号部分であるかどうか判定していたが、ＮとＭの比率から無信号と判断することもできる。例えば、Ｎ：Ｍが２：８、すなわち、ＮがＭの２５％を下回ったら無信号と判定してもよい。
【００３５】
また図５のボトム変動値Ｎとピーク値からボトム値２を引いた値（Ｌとする）の比率から判定することもできる。ＬはＢＣＡの平均振幅とほぼ同等であり、平均振幅Ｌと瞬時振幅Ｎの比率から無信号部分を求める。例えば、Ｎ：Ｌが２：１０、すなわち、ＮがＬの２０％を下回ったら無信号部分と判定してもよい。
【００３６】
図５の無信号部判定では、ＢＣＡ振幅から判定する場合と、ボトムレベル変動から判定する場合の２種類があった。最終的に無信号部検出回路４３が無信号部分として判定結果をスライスレベル検出回路４５に送る場合、振幅判定の結果のみ（ＳＴ５０６、ＳＴ５０７）を用いてもいい。また、ボトムレベル変動の結果のみ（ＳＴ５０８、ＳＴ５０９）を用いてもいい。また、両結果のＯＲ、ＡＮＤを取った結果も考えられる。
【００３７】
次に、スライスレベルの決定方法についての変形例を図７を用いて説明する。
スライスレベルは図７に示すとおり、ピーク・ボトムの比率５０％と８０％の２種類のみを用いている。しかし、この比率以外にも、６０％、７０％、７５％、９０％など２種類のみに限ったものではない。
【００３８】
また、無信号検出信号の立ち上がりごとにスライスレベルを段階的に変更する方法もある。例えば、始めのピーク値とボトム値１の比率１０％（ボトム側より）の値をスライスレベルする。その後無信号部検出信号の立ち上がりごとに前記スライスレベルの比率を１０％ずつ上げていく。無信号部検出信号の立ち上がりごとにスライスレベルを切り替えることは、ディスク一回転ごとに切り替えているのと同等である。このようにディスクの各スライスレベルでのＢＣＡ読み取り結果をエラー訂正することで最適なスライスレベルでの結果を使用することができる。
【００３９】
次に、ディフェクト検出方法についての変形例を説明する。
ディフェクト検出方法では、ＢＣＡ振幅値Ｎとボトム変動値Ｍをある定数で比較していたが、前記ＢＣＡ平均振幅値Ｌを用いて、ＮとＬの比率、ＭとＬの比率からディフェクトを求めることもできる。たとえば、ＮがＬの２０％以下かつＭがＬの２０％以下のときディフェクトと判定してもよい。
【００４０】
なお、図７のディスク種別判定についてはＨＤ  ＤＶＤかそうでないかで判定しているが、さらに細かくＲＯＭ、Ｒ、ＲＷ、ＲＡＭなどに区別してそれぞれスライスレベルを変更することも可能である。
【００４１】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４２】
【図１】ＢＣＡのディスク上の位置を示した図。
【図２】（ａ）は変調データが重畳されたＢＣＡの波形図、（ｂ）はミラー面上に書かれたＢＣＡの波形図、（ｃ）は変調データが重畳されたＢＣＡの波形の拡大図、（ｄ）はミラー面上に書かれたＢＣＡの波形の拡大図。
【図３】本発明の実施形態に係る光ディスク装置のブロック構造図。
【図４】ボトム検波１とボトム検波２を示した図。
【図５】無信号部を検出する処理のフローチャート。
【図６】（ａ）はピーク値とボトム値による振幅判定の様子を示す図、（ｂ）はボトム値１とボトム値２によるボトムアップ判定の様子を示す図、（ｃ）はピーク値とボトム値による振幅判定の様子を示した図、（ｄ）はボトム値１とボトム値２によるボトムアップ判定の様子を示した図。
【図７】スライスレベル決定処理のフローチャート。
【図８】スライスレベル判定方法によってスライスレベルが変化する一例を示す図。
【図９】ディフェクト検出のためのフローチャート。
【符号の説明】
【００４３】
１１・・・ＢＣＡ領域、１３・・・溝、１５・・・システムリードイン領域、１７・・・データ領域、３７・・・ピークエンベロープ検波回路、３９・・・ボトムエンベロープ検波１回路、４１・・・ボトムエンベロープ検波２回路、４３・・・無信号部検出回路、４５・・・スライスレベル検出回路、４７・・・ディフェクト検出回路、５５・・・ＢＣＡ２値化回路
【図１】
2008146721.tif 000003
【図２】
2008146721.tif 000004
【図３】
2008146721.tif 000005
【図４】
2008146721.tif 000006
【図５】
2008146721.tif 000007
【図６】
2008146721.tif 000008
【図７】
2008146721.tif 000009
【図８】
2008146721.tif 000010
【図９】
2008146721.tif 000011